(57)【要約】【課題】ストッパの位置を外部から確認できる浮き上がり防止装置を提供すること。【解決手段】第一継手要素２に嵌め込まれる第二継手要素３の浮き上がりを防止する浮き上がり防止装置９であって、第一継手要素２に取り付けられるケーシング１０と、このケーシング１０に摺動可能に支持されるストッパ２０と、このストッパ２０を第二継手要素３に係合する方向に付勢する付勢手段（スプリング３０）と、ナット部材４３とネジ部材４２との螺合位置を変えてストッパ２０を第二継手要素３との係合を解除する方向に移動するロック解除ジャッキ機構４０と、を備える構成とした。【選択図】図２
2013087549.tif 000002
【特許請求の範囲】
【請求項１】
第一継手要素に嵌め込まれる第二継手要素の浮き上がりを防止する浮き上がり防止装置であって、
前記第一継手要素に取り付けられるケーシングと、
前記ケーシングに摺動可能に支持されるストッパと、
前記ストッパを前記第二継手要素に係合する方向に付勢する付勢手段と、
ナット部材とネジ部材との螺合位置を変えて前記ストッパを前記第二継手要素との係合を解除する方向に移動するロック解除ジャッキ機構と、を備えることを特徴とする浮き上がり防止装置。
【請求項２】
前記ロック解除ジャッキ機構は、
前記ストッパと共に移動する前記ナット部材と、
前記ナット部材に螺合する前記ネジ部材と、を備え、
前記ネジ部材を回転させることによって前記ナット部材と共に前記ストッパが前記第二継手要素との係合を解除する方向に移動することを特徴とする請求項１に記載の浮き上がり防止装置。
【請求項３】
前記ケーシングに揺動可能に支持される表示リンクと、
前記表示リンクに前記ストッパの変位を伝える連携手段と、を備え、
前記表示リンクを介して前記ストッパの位置を表示することを特徴とする請求項１または２に記載の浮き上がり防止装置。
【請求項４】
前記表示リンクに吊り下げられる作動確認プレートを備え、
前記作動確認プレートは、前記ストッパが前記第二継手要素に係合する過程で前記表示リンクに係合して傾斜する一方、前記ストッパが前記第二継手要素に係合したロック位置に到達すると重力によって略鉛直方向に延びることを特徴とする請求項３に記載の浮き上がり防止装置。
【請求項５】
前記表示リンクに吊り下げられる作動確認プレートと、
前記ストッパが前記第二継手要素に係合する前の初期位置にあるときに作動確認プレートに係合する初期位置表示カムと、を備え、
前記初期位置表示カムは、前記ストッパが初期位置にあるときに前記作動確認プレートに係合して前記作動確認プレートを傾斜姿勢に保持する一方、前記ストッパが前記ケーシングに一旦押し込まれる過程で前記作動確認プレートとの係合を解除することを特徴とする請求項３または４に記載の浮き上がり防止装置。
【請求項６】
前記連携手段は、前記ケーシングの内側に配置され前記ストッパの変位に連携する連携ピンを備え、前記連携ピンの変位に連携する前記表示リンクが前記ケーシングの内外に渡って延びることを特徴とする請求項３から５のいずれか一つに記載の浮き上がり防止装置。
【請求項７】
前記連携手段は、前記ストッパに結合され前記ケーシングの内外に渡って延びるストッパロッドを備え、前記ストッパロッドの変位に連携して前記表示リンクが揺動することを特徴とする請求項３から５のいずれか一つに記載の浮き上がり防止装置。
【発明の詳細な説明】
【技術分野】
【０００１】
本発明は、第一継手要素に嵌め込まれる第二継手要素の浮き上がりを防止するストッパを作動させる浮き上がり防止装置に関するものである。
【背景技術】
【０００２】
例えば建築物の施工時に、構築された柱に対して、クレーン等に吊り上げられる梁を接合するのに、嵌め込みによって接合する継手が用いられる。この継手として、柱に設けられる第一継手要素と、梁に設けられる第二継手要素と、第一継手要素に嵌め込まれる第二継手要素の浮き上がりを防止する浮き上がり防止装置と、を備えるものがある。
【０００３】
従来、この種の浮き上がり防止装置として、第一継手要素側から突出して第二継手要素に係合するストッパを備え、このストッパを駆動する油圧シリンダまたは電動シリンダ等を備えるものがある。これは、第一継手要素に第二継手要素が嵌め込まれた後に、油圧シリンダ等を作動してストッパを第二継手要素に係合するロック位置に移動し、第二継手要素の浮き上がりを防止するようになっている。
【０００４】
また、特許文献１には、建築物の足場枠において、スプリングによって付勢されるストッパ（ロックピン）と、このストッパをスプリングに抗して抜き取るロック解除レバーを用いて、支柱を継手に着脱可能に結合する結合構造が開示されている。
【先行技術文献】
【特許文献】
【０００５】
【特許文献１】特開平８−２６０６９１号公報
【発明の概要】
【発明が解決しようとする課題】
【０００６】
しかしながら、従来の浮き上がり防止装置にあっては、ストッパの摺動抵抗等に起因してストッパが第一継手要素に嵌め込まれる第二継手要素の浮き上がり防止をするロック作動と、この浮き上がり防止を解除するアンロック作動が円滑に行われないという問題点があった。
【０００７】
本発明は上記の点に鑑みてなされたものであり、第一継手要素に嵌め込まれる第二継手要素の浮き上がり防止をするロック作動と、この浮き上がり防止を解除するアンロック作動が円滑に行われる浮き上がり防止装置を提供することを目的とする。
【課題を解決するための手段】
【０００８】
本発明は、第一継手要素に嵌め込まれる第二継手要素の浮き上がりを防止する浮き上がり防止装置であって、第一継手要素に取り付けられるケーシングと、このケーシングに摺動可能に支持されるストッパと、このストッパを第二継手要素に係合する方向に付勢する付勢手段と、ナット部材とネジ部材との螺合位置を変えてストッパを第二継手要素との係合を解除する方向に移動するロック解除ジャッキ機構と、を備える構成とした。
【０００９】
上記構成に基づき、継手の接合工程にて、第一継手要素に第二継手要素が嵌め込まれるのに伴って、付勢手段によってストッパが第二継手要素に係合するロック位置に移動し、第一継手要素に対する第二継手要素の浮き上がりが防止される。一方、継手の分解工程にて、ロック解除ジャッキ機構がナット部材とネジ部材との螺合位置を変えてストッパを第二継手要素との係合を解除するアンロック位置に移動し、第一継手要素から第二継手要素が抜き取られる。
【発明の効果】
【００１０】
本発明によると、第一継手要素に嵌め込まれる第二継手要素の浮き上がり防止をするロック作動と、この浮き上がり防止を解除するアンロック作動が円滑に行われる。
【図面の簡単な説明】
【００１１】
【図１】（Ａ）は、本発明の第１実施形態を示す浮き上がり防止装置の平面図であり、（Ｂ）は、側面図であり、（Ｃ）は、背面図であり、（Ｄ）は、正面図である。
【図２】図１の（Ａ）おけるＡ−Ａ線に沿う断面図である。
【図３】（Ａ）〜（Ｄ）は、浮き上がり防止装置がロック作動する動作を示す断面図である。
【図４】（Ｅ）〜（Ｈ）は、浮き上がり防止装置がアンロック作動する動作を示す断面図である。
【図５】本発明の第２実施形態を示す浮き上がり防止装置の断面図である。
【図６】（Ａ）（Ｂ）は、浮き上がり防止装置がアンロック作動する動作を示す断面図である。
【発明を実施するための形態】
【００１２】
以下、本発明の実施形態を添付図面に基づいて説明する。
【００１３】
（第１実施形態）
図１、２において、継手１は、例えば建築物の柱と梁とを接合するものであり、柱に設けられる第一継手要素２と、梁に設けられる第二継手要素３と、を備える。クレーン等に吊り上げられる梁を柱に接合する場合に、第一継手要素２に第二継手要素３が嵌め込まれることによって、継手１の接合が行われる。
【００１４】
第二継手要素３には、ブロック（係合部）４が設けられる一方、第一継手要素２には、このブロック４に係合する浮き上がり防止装置９が設けられる。
【００１５】
以下、浮き上がり防止装置９の構造を説明する。ここで、互いに直交するＸ、Ｙ、Ｚの３軸を設定し、Ｘ軸が略水平前後方向、Ｙ軸が略水平横方向、Ｚ軸が上下方向（略鉛直方向）に延びるものとする。
【００１６】
浮き上がり防止装置９は、箱形のケーシング１０と、このケーシング１０に出没可能に収められるストッパ２０と、このストッパ２０を突出方向に付勢するスプリング（付勢手段）３０と、を備える。ストッパ２０がスプリング３０の付勢力によってケーシング１０からＸ軸前方向に突出して、第二継手要素３のブロック４に係合することによって、第二継手要素３が第一継手要素２に対してＺ軸上方向に変位する浮き上がりが防止される。
【００１７】
ケーシング１０は、第一継手要素２に設けられる台座５に取り付けられる。ケーシング１０は、台座５に締結される基板１１と、この基板１１に直交して結合される左右の側板１２と、この左右の側板１２の上面に渡って結合される天板１４と、この左右の側板１２の後面に渡って結合される後板１５と、を備える。
【００１８】
基板１１と天板１４との間には、Ｙ軸方向に延びる左右の補強板１６が結合される。天板１４の上面には、Ｘ軸方向に延びる左右の補強板１７と、Ｙ軸方向に延びる左右の補強板１８が結合される。これらの補強板１６〜１８によってケーシング１０の剛性が確保される。
【００１９】
ケーシング１０の内側には、ガイドプレート１９が取り付けられる。ストッパ２０は、ケーシング１０にガイドプレート１９を介して摺動可能に支持される。
【００２０】
ストッパ２０は、略矩形の断面を有するブロック状に形成され、その先端にブロック４に摺接するカム面２３を有し、その下面にブロック４に対峙するストッパ面２７を有する。このカム面２３は、下降するブロック４に対向するように、ブロック４の移動方向（Ｚ軸方向）に対して傾斜している。
【００２１】
ストッパ２０の背後には、ストッパロッド３５が結合され、このストッパロッド３５がケーシング１０の後板１５を貫通する。ストッパ２０には、その後端面２４に開口する凹部２５と、この凹部２５の底面に開口するネジ穴２６と、が形成され、このネジ穴２６にストッパロッド３５の前端ネジ部が締結される。ケーシング１０の後板１５には、ストッパロッド３５を摺動可能に挿入させる穴１５Ａが形成される。
【００２２】
ストッパロッド３５のまわりに付勢手段の一例としてコイル状のスプリング３０が間隙を持って介装される。このスプリング３０は、ケーシング１０の後板１５と、ストッパ２０の凹部２５の底面との間に圧縮して介装される。ストッパ２０は、スプリング３０の弾性復元力によってＸ軸前方向に付勢される。
【００２３】
なお、付勢手段は、コイル状のスプリング３０に限らず、他の形状をした弾性材、または空気バネ等を用いてもよい。
【００２４】
第二継手要素３に取り付けられるブロック４は、略水平方向に延びる係合面４Ａと、略鉛直方向に延びる端面４Ｂと、この端面４Ｂから連続して湾曲する湾曲面４Ｃと、を有する。
【００２５】
継手１の接合時に、第一継手要素２に対して第二継手要素３がＺ軸下方向に移動する過程で、ストッパ２０は、図３の（Ｂ）（Ｃ）に示すように、そのカム面２３がブロック４の湾曲面４Ｃに摺接し、この摺接部分から受ける反力によってＸ軸後方向に押され、スプリング３０の弾性復元力に抗してケーシング１０内へと移動する。
【００２６】
ストッパ２０は、ケーシング１０内へ移動した後、図２、図３の（Ｄ）に示すように、スプリング３０の付勢力によってケーシング１０から突出し、当該ストッパ２０のストッパ面２７がブロック４の係合面４Ａに対峙することによって、第二継手要素３が第一継手要素２に対してＺ軸上方向に変位する浮き上がりが防止される。
【００２７】
ケーシング１０の基板１１には、ストローク規制部材２９が結合される。ストッパ２０は、その後端面２４がストローク規制部材２９に当接することにより、それ以上にＸ軸後方向に移動しないように係止される。
【００２８】
浮き上がり防止装置９は、ストッパ２０をブロック４から離れるＸ軸後方向に移動させるロック解除ジャッキ機構４０を備える。このロック解除ジャッキ機構４０は、ストッパ２０をブロック４に係合するロック位置から、ブロック４から外れるアンロック位置へと移動させるものである。
【００２９】
ロック解除ジャッキ機構４０は、ストッパロッド３５を介してストッパ２０と共に移動するナット部材４３と、このナット部材４３に螺合するネジ部材４２と、を備える。ネジ部材４２の外周には、雄ネジが形成され、ナット部材４３の内周にはこれに螺合する雌ネジ（ネジ穴）が形成される。ネジ部材４２を回転させることによってナット部材４３と共にストッパ２０を解除方向に移動する。
【００３０】
ナット部材４３は、ケーシング１０の後板１５から突出するストッパロッド３５の後端部に結合される。
【００３１】
図２に示すように、ナット部材４３がスプリング３０の付勢力によってケーシング１０の後板１５に当接する状態において、ストッパロッド３５がそれ以上にＸ軸前方向に移動することが係止され、ストッパ２０がロック位置に保持される。
【００３２】
ネジ部材４２を回転する駆動手段として、ネジ部材４２の後端部にハンドル４５が結合される。作業者がハンドル４５を持って、ネジ部材４２を一方に回転することにより、ネジ部材４２の前端部がナット部材４３から突出する。このときに、ネジ部材４２の前端が、スプリング３０の付勢力によってケーシング１０の後板１５に当接し、ネジ部材４２の前端部がナット部材４３から突出するのに伴って、ナット部材４３がストッパロッド３５及びストッパ２０と共にＸ軸後方向に移動する。やがて、ストッパ２０がブロック４から外れるアンロック位置に到達すると、ストッパ２０の後端面２４がストローク規制部材２９に当接し、それ以上に移動しないように係止される。
【００３３】
なお、ネジ部材４２を回転する駆動手段は、ハンドル４５に限らず、ネジ部材４２の後端部にボルト頭部を形成し、このボルト頭部に係合するインパクトレンチ等の工具を用いてネジ部材４２を回転する構成としてもよい。
【００３４】
ケーシング１０の後板１５には、ナット部材４３を案内するジャッキガイド４４が結合される。このジャッキガイド４４は、図１の（Ｃ）に示すように、コの字形の断面形状を有するレール部材であり、Ｘ軸方向に延びるようにケーシング１０の後板１５に結合される。このジャッキガイド４４は、ナット部材４３の端面を摺接させることによって、ナット部材４３の回動を係止しながらナット部材４３をＸ軸方向に移動可能に案内する。
【００３５】
後述するように、図３の（Ｆ）、（Ｇ）に示すように、浮き上がり防止装置９のロック作動を解除する作業時に、ネジ部材４２がナット部材４３に螺合して取り付けられる。図３の（Ａ）〜（Ｄ）に示す継手１の接合を行う作業時に、ネジ部材４２とハンドル４５は、ナット部材４３から取り外されている。
【００３６】
浮き上がり防止装置９は、ストッパ２０の位置を表示するストッパ位置表示機構５０を備える。このストッパ位置表示機構５０によってストッパ２０がブロック４に係合するロック位置に到達したことを外部から確認できる。
【００３７】
ストッパ位置表示機構５０は、ケーシング１０に揺動可能に支持される表示リンク５１と、この表示リンク５１にストッパ２０の動きを伝える連携手段（連携ピン５２）と、を備える。
【００３８】
ケーシング１０の天板１４の後端部には、左右のブラケット５４が結合され、この左右のブラケット５４に支持ピン５３の両端部がそれぞれが結合される。
【００３９】
帯板状の表示リンク５１は、クランク形に曲折し、その中央部が支持ピン５３を介してＹ軸まわりに揺動可能に支持される。表示リンク５１は、支持ピン５３より上方に延びるアーム部５１Ａと、支持ピン５３より下方に延びるアーム部５１Ｂと、を有する。
【００４０】
表示リンク５１にストッパ２０の動きを伝える連携手段として、ストッパ２０の後端面２４には、連携ロッド５５が結合され、この連携ロッド５５の後端部に連携ピン５２が結合される。連携ロッド５５は、ストッパロッド３５と並んで設けられ、ストッパ２０の後端面２４からＸ軸後方向に突出する。
【００４１】
連携手段として、表示リンク５１のアーム部５１Ｂは、ケーシング１０の内側へと延び、その先端（下端）に長穴５６が形成され、この長穴５６に連携ピン５２が摺動可能に挿入される。これにより、第二継手要素３が下降する過程において、ストッパ２０がＸ軸方向に移動する動きが、支持ピン５３を介して表示リンク５１がＹ軸まわりに揺動する動きに変換される。
【００４２】
なお、連携手段は、上記構成に限らず、例えば、表示リンク５１の一端（下端）に連携ピンが結合される一方、連携ロッド５５側にこの連携ピンに係合する長穴が形成される構成としてもよい。
【００４３】
表示リンク５１の他端（上端）には、左右の作動確認プレート５７が吊り下げられる。この作動確認プレート５７は、長細い長円形の板状に形成され、その表面が着色され、その姿勢が容易に確認できるようになっている。
【００４４】
左右の作動確認プレート５７は、表示リンク５１の先端部に支持ピン５８を介してＹ軸まわりに揺動可能に連結される。左右の作動確認プレート５７は、両者の間に表示リンク５１を挟み、支持ピン５８の両端部にそれぞれ結合される。支持ピン５８の中程は、表示リンク５１に形成された穴に摺動可能に挿入されている。
【００４５】
左右の作動確認プレート５７の揺動先端部には、係合ピン（係合部）５９が結合される。この係合ピン５９は、左右の作動確認プレート５７の間に掛け渡され、Ｙ軸方向に延びる。
【００４６】
また、ケーシング１０の後板１５にはＺ軸上方向に突出する初期位置表示カム６１が設けられる。初期位置表示カム６１は、後述するようにストッパ２０がロック作動する前の初期位置にて、係合ピン５９（作動確認プレート５７の係合部）に当接して作動確認プレート５７を所定の傾斜姿勢に保持し（図３の（Ａ）参照）、ストッパ２０がケーシング１０に一旦押し込まれる過程で係合ピン５９との係合を解除する（図３の（Ｂ）参照）。
【００４７】
表示リンク５１は、ストッパ２０が第二継手要素３に係合する過程で係合ピン５９に当接する部位（アーム部５１Ａ）を有し、作動確認プレート５７を傾斜姿勢に保持するようになっている。ストッパ２０が初期位置から外れてブロック４の端面４Ｂに摺接しながらケーシング１０内に押し込まれるアンロック位置にあるときに、係合ピン５９が表示リンク５１のアーム部５１Ａに係合することによって作動確認プレート５７は、傾斜姿勢に保持される（図３の（Ｂ）（Ｃ）参照）。一方、ストッパ２０がケーシング１０から突出してブロック４の係合面４Ａに係合するロック位置に到達すると、作動確認プレート５７が重力によって略鉛直方向に延びる鉛直姿勢に切り換えられる（図１、２、図３の（Ｄ）参照）。
【００４８】
図３の（Ａ）〜（Ｄ）は、浮き上がり防止装置９がロック作動する動作を示す断面図である。建築物の施工時に、第二継手要素３が図中２点鎖線の矢印Ａで示すように下降して第一継手要素２に嵌め込まれる、継手１の接合工程にて、浮き上がり防止装置９は以下のようにしてロック作動する。
【００４９】
図３の（Ａ）に示すように、ブロック４がストッパ２０に当接する前の状態では、スプリング３０の付勢力によってストッパ２０がケーシング１０から突出した初期位置にある。このときに、係合ピン５９が初期位置表示カム６１に係合しているため、作動確認プレート５７は、傾斜姿勢に保持される。
【００５０】
図３の（Ｂ）に示すように、第二継手要素３が下降する過程において、ブロック４の湾曲面４Ｃがストッパ２０のカム面２３に摺接するときに、ストッパ２０がスプリング３０の付勢力に抗して図中矢印Ｂで示すようにケーシング１０内に押し込まれる。このときに、表示リンク５１が図中矢印Ｃで示すように揺動するのに伴って、係合ピン５９が初期位置表示カム６１から外れる。係合ピン５９が初期位置表示カム６１から外れた後に、表示リンク５１のアーム部５１Ａに当接することによって、表示リンク５１は、再び傾斜姿勢に保持される。
【００５１】
図３の（Ｃ）に示すように、第二継手要素３がさらに下降する過程において、ブロック４の端面４Ｂがストッパ２０のカム面２３に摺接する状態では、ストッパ２０がケーシング１０内に押し込まれている。このとき、作動確認プレート５７は、傾斜姿勢に保持され、その傾斜角度が図３の（Ｂ）に示す傾斜角度に比べて大きくなる。
【００５２】
図３の（Ｄ）に示すように、第二継手要素３が所定の最下位置に下降すると、ブロック４がストッパ２０のカム面２３から外れるのに伴って、ストッパ２０は、スプリング３０の付勢力によって図中矢印Ｄで示すように移動してケーシング１０から突出したロック位置に保持される。このロック位置では、ブロック４の係合面４Ａが、ロック位置にあるストッパ２０のストッパ面２７に対峙することによって、第二継手要素３が第一継手要素２に対してＺ軸上方向に変位する浮き上がりが防止される。このときに、表示リンク５１のアーム部５１Ａが略鉛直方向に延びる位置に来て、作動確認プレート５７がアーム部５１Ａに沿って吊り下げられる鉛直姿勢に切り換えられる。
【００５３】
以上のように、第一継手要素２に第二継手要素３を嵌め込まれるのに伴って、スプリング３０の付勢力によってブロック４に追従するストッパ２０が往復動してロック位置に移動し、継手１の接合が完了する。
【００５４】
作動確認プレート５７は、ストッパ２０が初期位置からロック位置に移動するまでの間は、作動確認プレート５７または表示リンク５１のアーム部５１Ａに係合する係合ピン５９によって傾斜姿勢に保持される一方、ストッパ２０がロック位置に移動すると、鉛直姿勢に切り換えられる。作業者がこの作動確認プレート５７の姿勢を見ることにより、ストッパ２０がブロック４に係合するロック位置に到達したことを確認できる。
【００５５】
図４の（Ｅ）〜（Ｈ）は、浮き上がり防止装置９がロック作動を解除する動作を示す断面図である。建築物の解体時等に、以下のようにして浮き上がり防止装置９がロック作動を解除し、継手１の分解工程が行われる。
【００５６】
図４の（Ｅ）に示すように、継手１の接合が完了した状態では、ブロック４の係合面４Ａが、ロック位置にあるストッパ２０のストッパ面２７に対峙して、第一継手要素２に対する第二継手要素３の浮き上がることが防止される。このように継手１の接合が完了した施工後の状態では、ネジ部材４２とハンドル４５は、ナット部材４３から取り外される。
【００５７】
図４の（Ｆ）に示すように、浮き上がり防止装置９のロック作動を解除するのにあたって、まず、作業者がロック解除ジャッキ機構４０のナット部材４３にネジ部材４２を螺合して取り付ける。そして、作業者がハンドル４５を持って、ネジ部材４２を矢印Ｅで示すように一方に回転することにより、ネジ部材４２の前端部がナット部材４３から突出する。これに伴って、ナット部材４３がストッパロッド３５及びストッパ２０と共に矢印Ｆで示すようにＸ軸後方向に移動する。
【００５８】
図４の（Ｇ）に示すように、ストッパ２０がブロック４から外れるアンロック位置に到達すると、ストッパ２０のストッパ面２７がブロック４の係合面４Ａから外れ、浮き上がり防止装置９のロック作動が解除される。これにより、第二継手要素３を第一継手要素２に対して矢印Ｇで示すようにＺ軸上方向に変位させる、継手１の分解が行われる。
【００５９】
ロック解除ジャッキ機構４０は、ネジ部材４２に対するナット部材４３の螺合位置を変えることによって、ストッパ２０の摺動抵抗等に抗してストッパ２０を円滑に移動させることができ、第一継手要素２から第二継手要素３を抜き取ることが行われる。
【００６０】
ストッパ２０がロック位置からアンロック位置に移動するまでの間に、作動確認プレート５７の姿勢が、鉛直姿勢から傾斜姿勢へと次第に切り換えられる。作業者がこの作動確認プレート５７の姿勢（傾斜角度）を見ることにより、ストッパ２０の位置を確認できる。
【００６１】
浮き上がり防止装置９のロック作動を解除した後に、次回に行われるロック作動にそなえて、図４の（Ｈ）に示すように、ストッパ２０をアンロック位置から初期位置に移動させる。ネジ部材４２に対するナット部材４３の螺合位置を元に戻すのに伴って、ストッパ２０がスプリング３０の付勢力によって矢印Ｈで示すようにＸ軸前方向に移動し、やがて初期位置に到達する。
【００６２】
このとき、作動確認プレート５７を矢印Ｉで示すように上方に回動させた状態で、ストッパ２０を初期位置に移動させる。その後に、作動確認プレート５７を矢印Ｊで示すように下方に回動させて、作動確認プレート５７の係合ピン５９を初期位置表示カム６１に当接させる。こうして作動確認プレート５７が所定の傾斜姿勢に保持される。そして、ネジ部材４２とハンドル４５が、ナット部材４３から取り外される。
【００６３】
なお、ストッパロッド３５をその外周に雄ネジを形成することによってネジ部材としても用いてもよい。この場合に、ロック解除ジャッキ機構は、ストッパロッド３５の雄ネジに螺合するナット部材を備え、工具を用いてナット部材を回転させることによってストッパロッド３５と共にストッパ２０を解除方向に移動する構成としてもよい。
【００６４】
（第２実施形態）
次に図５示す第２実施形態を説明する。図５は、浮き上がり防止装置１０９の断面図である。これは図１〜４の第１実施形態と基本的に同じ構成を有し、相違する部分のみを説明する。なお、第１実施形態と同一構成部には同一符号を付す。
【００６５】
図５に示す浮き上がり防止装置１０９は、第一継手要素２に取り付けられるケーシング１１０と、このケーシング１１０に出没可能に収められるストッパ１２０と、このストッパ１２０を突出方向に付勢するスプリング（付勢手段）３０と、を備える。スプリング３０の付勢力によってケーシング１１０からＸ軸前方向に突出するストッパ１２０が、第二継手要素３の係合部に係合することによって、第二継手要素３が第一継手要素２に対してＺ軸上方向に変位する浮き上がりが防止される。
【００６６】
ストッパ１２０は、略矩形の断面を有する中空の箱形に形成され、当該ストッパ１２０とケーシング１１０の間に形成されるガイドブロック１１８、１１９を介してケーシング１１０に摺動可能に支持される。
【００６７】
ケーシング１１０の後板１１５には、支持板１１７を介してスプリングシート１１６が結合される。ストッパ１２０の内側には、ナット部材としてスプリングシート１１４が結合される。スプリングシート１１６とスプリングシート１１４との間には、コイル状のスプリング３０が圧縮して介装される。
【００６８】
ストッパ１２０は、その先端に第二継手要素３の係合部に摺接するカム板１２３を有する。継手１の接合時に、第二継手要素３がＺ軸下方向に移動する過程で、ストッパ１２０は、そのカム板１２３が第二継手要素３の係合部に摺接し、この摺接部分から受ける反力によってＸ軸後方向に押され、スプリング３０の弾性復元力に抗してケーシング１１０内へと移動する。第二継手要素３が所定の最下位置に下降すると、第二継手要素３の係合部がストッパ１２０のカム板１２３から外れるのに伴って、スプリング３０の付勢力によってケーシング１１０から突出するロック位置に移動し、第二継手要素３が第一継手要素２に対してＺ軸上方向に変位する浮き上がりが防止される。
【００６９】
浮き上がり防止装置１０９は、ストッパ１２０の位置を表示するストッパ位置表示機構１５０を備える。このストッパ位置表示機構１５０は、ケーシング１１０に揺動可能に支持される表示リンク１５１と、この表示リンク１５１にストッパ１２０の動きを伝える連携手段と、を備える。表示リンク１５１の先端部に円盤状の作動確認プレート１５７が結合される。
【００７０】
ケーシング１１０の後板１１５には、ブラケット１５４が結合され、このブラケット１５４に支持ピン１５３を介して表示リンク１５１の基端部が揺動可能に結合される。
【００７１】
連携手段として、ストッパ１２０の背後に突出するストッパロッド１３５が設けられる。このストッパロッド１３５は、その前端部がスプリングシート１１４を介してストッパ１２０に結合され、その後端部が後板１１５の穴を貫通してケーシング１１０の外側に突出する。
【００７２】
連携手段として、ストッパロッド１３５の突出端部には、ブラケット１５５が結合され、このブラケット１５５に支持ピン１５６を介して連携リンク１５２の基端部が揺動可能に結合される。連携リンク１５２の先端部は、支持ピン１５８を介して表示リンク１５１の中程が揺動可能に結合される。なお、これに限らず、連携手段として、ストッパロッド１３５の突出端部に連携ピンを結合し、表示リンク１５１の中程にこの連携ピンに係合する長穴を形成する構成としてもよい。
【００７３】
建築物の施工時に、第二継手要素３が下降して第一継手要素２に嵌め込まれるのに伴って、ストッパ１２０が第二継手要素３の係合部に摺接しながらケーシング１１０内に押し込まれる。このときに、表示リンク１５１及び作動確認プレート１５７は、ストッパロッド１３５、連携リンク１５２等を介して図中矢印Ｈで示すように下方向に揺動する。第二継手要素３が最下位置に下降する直前にて、表示リンク１５１及び作動確認プレート１５７は、図中２点鎖線で示すように、略水平方向に延びる。続いて、第二継手要素３が最下位置に下降すると、第二継手要素３の係合部がストッパ１２０のカム面１２３から外れるのに伴って、スプリング３０の付勢力によってストッパ１２０がＸ軸前方に移動してロック位置に到達する。このとき、表示リンク１５１及び作動確認プレート１５７は、図中矢印Ｉで示すように上方向に揺動し、実線で示すように、傾斜姿勢に切り換えられる。これにより、作業者が表示リンク１５１及び作動確認プレート１５７の姿勢を見ることにより、ストッパ１２０が第二継手要素３の係合部に係合するロック位置に到達したことを確認できる。
【００７４】
浮き上がり防止装置１０９は、ストッパ１２０を第二継手要素３の係合部から離れるＸ軸後方向に移動させるロック解除ジャッキ機構１４０を備える。
【００７５】
ロック解除ジャッキ機構１４０は、ストッパロッド１３５をスプリングシート１１４に螺合させ、ストッパロッド１３５をインパクトレンチ等の工具を用いて回転することによってストッパロッド１３５とスプリングシート１１４との螺合位置を変えて、ストッパ１２０を移動する構成とする。
【００７６】
ネジ部材として設けられるストッパロッド１３５は、その外周に雄ネジ１４１が形成され、雄ネジ１４１を有するネジ部材を構成する。
【００７７】
スプリングシート１１４は、その中央部に雌ネジ（ネジ穴）１２５が形成され、ネジ部材に螺合するナット部材を構成する。
【００７８】
図６の（Ａ）（Ｂ）は、浮き上がり防止装置１０９がロック作動を解除する動作を示す断面図である。以下のようにして浮き上がり防止装置１０９がロック作動を解除し、継手１の分解工程が行われる。
【００７９】
図６の（Ａ）に示すように、継手１の接合が完了した状態では、第二継手要素３の係合部がストッパ１２０のストッパ面１２７に対峙して、第一継手要素２に対する第二継手要素３の浮き上がることが防止される。このように継手１の接合が完了した施工後の状態では、ストッパ位置表示機構１５０のブラケット１５５、支持ピン１５６、表示リンク１５１と、作動確認プレート１５７等が取り外されている。
【００８０】
図６の（Ｂ）に示すように、浮き上がり防止装置１０９のロック作動を解除するのにあたって、作業者がインパクトレンチ等の工具を用いて、ストッパロッド１３５を矢印Ｊで示すように一方に回転することにより、ストッパロッド１３５とスプリングシート１１４との螺合位置変わり、スプリングシート１１４がストッパ１２０と共に矢印Ｋで示すようにＸ軸後方向に移動する。
【００８１】
ストッパ１２０がブロック４から外れるアンロック位置に到達すると、ストッパ１２０のストッパ面１２７が第二継手要素３の係合面から外れ、浮き上がり防止装置９のロック作動が解除される。これにより、第二継手要素３を第一継手要素２に対して矢印Ｌで示すようにＺ軸上方向に変位させる、継手１の分解が行われる。
【００８２】
こうして、ロック解除ジャッキ機構１４０は、ストッパロッド（ネジ部材）１３５に対するスプリングシート（ナット部材）１１４の螺合位置を変えることによって、ストッパ１２０の摺動抵抗等に抗してストッパ１２０を円滑に移動させることができ、第一継手要素２から第二継手要素３を抜き取ることが円滑に行われる。
【００８３】
以下、本発明の要旨と作用、効果を説明する。
【００８４】
（ア）第一継手要素２に嵌め込まれる第二継手要素３の浮き上がりを防止する浮き上がり防止装置９、１０９であって、第一継手要素２に取り付けられるケーシング１０、１１０と、このケーシング１０、１１０に摺動可能に支持されるストッパ２０、１２０と、このストッパ２０、１２０を第二継手要素３に係合する方向に付勢する付勢手段（スプリング３０）と、ナット部材４３（スプリングシート１１４）とネジ部材４２（ストッパロッド１３５）との螺合位置を変えてストッパ２０、１２０を第二継手要素３との係合を解除する方向に移動するロック解除ジャッキ機構４０、１４０と、を備える構成とした（図１〜６参照）。
【００８５】
上記構成に基づき、継手１の接合工程にて、第一継手要素２に第二継手要素３が嵌め込まれるのに伴って、付勢手段によってストッパ２０、１２０が第二継手要素３に係合するロック位置に移動し、第一継手要素２に対する第二継手要素３の浮き上がりが防止される。一方、継手１の分解工程にて、ロック解除ジャッキ機構４０がナット部材４３とネジ部材４２との螺合位置を変えてストッパ２０、１２０を第二継手要素３との係合を解除するアンロック位置に移動し、第一継手要素２から第二継手要素３が抜き取られる。
【００８６】
これにより、第一継手要素２に嵌め込まれる第二継手要素３の浮き上がり防止をするロック作動と、この浮き上がり防止を解除するアンロック作動が円滑に行われる浮き上がり防止装置９、１０９を提供できる。
【００８７】
（イ）ロック解除ジャッキ機構４０、１４０は、ストッパ２０と共に移動するナット部材４３（スプリングシート１１４）と、このナット部材４３に螺合するネジ部材４２（ストッパロッド１３５）と、を備え、ネジ部材４２を回転させることによってナット部材４３と共にストッパ２０、１２０が第二継手要素３との係合を解除する方向に移動する構成とした（図１〜４参照）。
【００８８】
上記構成に基づき、継手１の分解工程にて、ロック解除ジャッキ機構４０、１４０がナット部材４３（スプリングシート１１４）に対するネジ部材４２（ストッパロッド１３５）の螺合位置を変えてストッパ２０、１２０を第二継手要素３との係合を解除するアンロック位置に移動し、第一継手要素２から第二継手要素３が抜き取られる。
【００８９】
（ウ）ケーシング１０、１１０に揺動可能に支持される表示リンク５１、１５１と、この表示リンク５１、１５１にストッパ２０、１２０の変位を伝える連携手段（連携ピン５２、ストッパロッド１３５）と、を備え、表示リンク５１、１５１を介してストッパ２０、１２０の位置を表示する構成とした（図１〜４参照）。
【００９０】
上記構成に基づき、ストッパ２０、１２０の変位に連携して揺動する表示リンク５１、１５１を介してストッパ２０、１２０の位置が表示され、浮き上がり防止装置９、１０９の作動状態を外部から確認できる。これにより、第一継手要素２に第二継手要素３が嵌め込まれる継手１の接合工程にて、ストッパ２０、１２０が所定のロック位置に到達したことが的確に判定され、継手１の接合不良を防止できる。
【００９１】
（イ）表示リンク５１に吊り下げられる作動確認プレート５７を備え、作動確認プレート５７は、ストッパ２０が第二継手要素３に係合する過程で表示リンク５１に係合して傾斜する一方、ストッパ２０が第二継手要素３に係合したロック位置に到達すると重力によって略鉛直方向に延びる構成とした（図３の（Ｂ）、（Ｃ）、（Ｄ）参照）。
【００９２】
上記構成に基づき、作動確認プレート５７は、ストッパ２０がケーシング１０から突出する過程で傾斜する傾斜姿勢に保持される一方、ストッパ２０がロック位置に到達すると垂下する姿勢に切り換えられるため、作業者が作動確認プレート５７の姿勢を見てストッパ２０がアンロック位置とロック位置のいずれにあるかを判定できる。
【００９３】
（エ）表示リンク５１に吊り下げられる作動確認プレート５７と、ストッパ２０が第二継手要素３に係合する前の初期位置にあるときに作動確認プレート５７に係合する初期位置表示カム６１と、を備え、この初期位置表示カム６１は、ストッパ２０が初期位置にあるときに作動確認プレート５７に係合して作動確認プレート５７を傾斜姿勢に保持する一方、ストッパ２０がケーシング１０に一旦押し込まれる過程で作動確認プレート５７との係合を解除する構成とした（図３の（Ａ）、（Ｂ）参照）。
【００９４】
上記構成に基づき、作動確認プレート５７は、ストッパ２０が初期位置にあるときに傾斜する一方、ストッパ２０がロック位置に到達すると垂下するため、ストッパ２０がケーシング１０から突出した状態でも、作業者が作動確認プレート５７の姿勢を見てストッパ２０が初期位置にあるか、ロック位置にあるかを外部から確認できる。
【００９５】
（オ）ストッパ２０を第二継手要素３に係合するロック位置から、第二継手要素３との係合を解除するアンロック位置へと移動させるロック解除ジャッキ機構４０を備える構成とした（図１〜３参照）。
【００９６】
上記構成に基づき、例えば建築物を解体する場合に、ロック解除ジャッキ機構４０が、ストッパ２０をロック位置からアンロック位置へと移動することによって、第一継手要素２から第二継手要素３を外すことができる。
【００９７】
（カ）連携手段は、ケーシング１０の内側に配置されストッパ２０の変位に連携する連携ピン５２を備え、この連携ピン５２の変位に連携する表示リンク５１がケーシング１０の内外に渡って延びる構成とした（図１〜３参照）。
【００９８】
上記構成に基づき、連携ピン５２は、ストッパ２０の変位に連携して表示リンク５１を揺動し、ケーシング１０の外側に延びる表示リンク５１の姿勢が変えられるため、作業者が表示リンク５１の姿勢を見て浮き上がり防止装置９の作動状態を確認できる。
【００９９】
（キ）連携手段は、ケーシング１１０の内外に渡って配置されストッパ１２０に結合されるストッパロッド１３５を備え、このストッパロッド１３５の変位に連携して表示リンク１５１が揺動する構成とした（図４参照）。
【０１００】
上記構成に基づき、ストッパロッド１３５は、ストッパ２０の変位に連携して表示リンク１５１を揺動し、表示リンク５１の姿勢が変えられるため、作業者が表示リンク５１の姿勢を見て浮き上がり防止装置９の作動状態を確認できる。
【０１０１】
本発明は上記の実施形態に限定されずに、その技術的な思想の範囲内において種々の変更がなしうることは明白である。
【産業上の利用可能性】
【０１０２】
本発明の浮き上がり防止装置は、建築物に限らず、例えば他の設備、機械等に利用できる。
【符号の説明】
【０１０３】
２    第一継手要素
３    第二継手要素
９、１０９    浮き上がり防止装置
１０、１１０    ケーシング
２０、１２０    ストッパ
３０    スプリング（付勢手段）
４０、１４０    ロック解除ジャッキ機構
４２    ネジ部材
４３    ナット部材
５１、１５１    表示リンク
５２    連携ピン（連携手段）
５７    作動確認プレート
６１    初期位置表示カム
１１４    スプリングシート（ナット部材）
１３５    ストッパロッド（ネジ部材、連携手段）
【図１】
2013087549.tif 000003
【図２】
2013087549.tif 000004
【図３】
2013087549.tif 000005
【図４】
2013087549.tif 000006
【図５】
2013087549.tif 000007
【図６】
2013087549.tif 000008